(57)【要約】      （修正有）【課題】Ｉ期を短縮し、施工単価を安くした複層構造耐震防食防水構造物の提供。【解決手段】コンクリート表面に可撓性樹脂にガラスチップ繊維を混合した耐震性防食防水下塗りを行い上層にガラスフレークを混合した薬液浸透防止を行った複層構造物。【選択図】図１
0003118988.tif 000002
【実用新案登録請求の範囲】
【請求項１】
鉄骨コンクリ−ト構造物は打設時に多量の水を用いる事で流動性を良くし打設を行うので、コンクリ−ト乾燥硬化時に水の蒸発の為のクラック発生により降雨時に雨水流入の原因となる為、コンクリ−ト打設乾燥後多層の防水処理を行っている為、多額の費用と工期を要しているが、打設硬化後コンクリ−ト表面に可撓性樹脂に補強繊維としてガラスチョップ繊維を少量混入を行う事で、コンクリ−ト構造物クラックによる雨水流入防止が行える。コンクリ−ト構造物の表面に可撓性樹脂とガラスチョップ繊維を混合し、上塗りにガラスフレ−クを混合した物を積層、下層はガラスチョップを用いた耐震性塗膜と上層はガラスフレ−クを混合した薬液浸透防止を行った複層構造耐震防食防水構造物。
【考案の詳細な説明】
【技術分野】
【０００１】コンクリート打継ぎ後のコンクリ−ト構造物の収縮クラック発生による雨水流入を防ぐ為、コンクリート表面に各種防水性繊維シ−ト張り防水施工を行っているが施工工程が多く、施工単価が高く、工期に長期間を要するが、この発明は、防水防食性樹脂を可撓性にし補強繊維を短繊維チョップを用い、混合を行う事で、繊維ダマリの発生が無くロ−ル刷毛にてコンクリート表面に塗布防食防水が行える。  従来のガラスマット及びガラスクロス張り工程では表面に補強用繊維を張り付け、バインダ−用樹脂塗布エヤヌキロ−ル仕上げ等の工程を行う為、工期及び費用が多くかかるが、短繊維と可撓性樹脂を用いる事で、費用が半額程度で耐クラック防水処理施工が行える。又、短繊維補強材を使用する事で下地表面凹凸にも追従し施工が行える。
【背景技術】
【０００２】コンクリ−ト構造物打設硬化乾燥後、各種防水シ−ト又は、補強繊維シ−トを全面に塗布張り施工を行っている為、下地の凹凸に追従出来ないので前面パテ材を塗布し、コンクリ−ト表面平滑仕上げを行った後に防水シ−ト又は繊維にてバインダ−樹脂接着を行っている為、材料費及び工程が長く、費用高となっている。
【考案が解決しようとする課題】
【０００３】コンクリ−ト構造物はコンクリ−ト打設に際し、表面にピンホ−ル及び型枠段差及び不陸が生じる為、打設後表面平滑仕上げモルタル塗り仕上げを行った後に各種防水シ−ト張り防水を行っているが工期及び費用高となっている。
本発明は、コンクリ−ト表面に凹凸があっても下地接着及び平滑仕上に、可撓性エポキシ樹脂に再生ゴムパウダ−混合を行った樹脂パテで全面塗布を行い、コンクリ−ト表面不陸及びコンクリ−トクラック部分の充填平滑仕上げを行い、硬化後に用途別上塗り仕上を行う事で、コンクリ−ト構造物の耐震性防食防水仕上げが簡単に行える。
【課題を解決するための手段】
【０００４】コンクリ−ト構造物打設後に発生するコンクリ−ト収縮によるクラックは地震発生時に震動が生じる為震動追従性塗膜構造を要する為、可撓性樹脂に弾性エラスパウダ−及びガラスチップ繊維を混合し、塗布を行う事で耐震性防食防水が行え、上塗り防食性に就いては用途別上塗り材料を使用し、上水用はＪＷＷＡ規格  下水用防食用はＪＳ規格  材料を使用する事でコンクリ−ト構造物の耐震防食防水が行える。
【考案を実施するための最良の形態】
【０００５】コンクリ−ト構造物は鉄筋結束後、型枠組立後にコンクリ−ト打設を行うが、打設に際し流動性を良くする為多量の水を使用するので硬化後にコンクリ−ト構造物にクラックが多く発生する為、打設後表面に防食防水塗装を行うが、防食塗膜のみではクラック追従性に弱い為ガラス繊維等によるクラック防止を行っているが、その際、ガラス繊維又はマットを使用しているが材料及び施工工程が長く、費用高となる為、下塗りクラック補強にゴム粉とガラスチョップ短繊維をバインダ−樹脂に混合塗布を行う事で、工程及び材料費用が半額程度で行える施工方法である。
【実施例】
【０００６】従来コンクリ−ト構造物の屋上にアスファルトが防水用に使われているが、夏場では太陽熱で膨れが発生する為、表面耐熱防止にコンクリ−トモルタル保護を行っているが、クラック発生等による補修に費用を要する。
近年は防食樹脂ライニング工法が多く採用されているが、屋上防水防食ライニングにガラスマットライニングでは、施工作業中、ガラス繊維チョップの飛散による歩行者公害の原因となっている。  防食ライニング施工に際し防食用樹脂にガラスチョップ繊維をアスペクト比以内に短繊維を少量とゴム粉を防食防水樹脂に混合を行う為繊維飛散が無く、ロ−ル刷毛塗布を行う事でコンクリ−トクラック追従性防食防水が行え、工程短縮及び材料費が安価に行える。
【考案の効果】
【０００７】防水防食性樹脂を可撓性にし補強繊維シ−トを短繊維チョップに変え、混合を行う為、繊維ダマリの発生が無くロ−ル刷毛にてコンクリ−ト表面に塗布仕上が行える為、ガラスマット及びガラスクロス張り工程のバインダ−用樹脂塗布エヤヌキロ−ル仕上げ等の工程を省く事が出来、又、費用が総体的に半額程度で耐クラック防水処理施工が行える。又、短繊維補強材を使用する事で下地表面が多少不陸があっても、エア抜き作業仕上が行える。
【図面の簡単な説明】
【０００８】
【図１】耐震性クラック防止弾性塗膜層
【符号の説明】
【０００９】１．プライマ−浸透（コンクリ−ト面）
２．コンクリ−ト表面
３．ガラス短繊維（ガラスチョップ）及びエラスパウダ−
（ゴム粉）を混合した弾性ベ−スコ−ト
４．用途別トップコ−ト仕上
上水飲料水用防食防水  上水用ＪＷＷＡ規格品
下水排水処理槽耐熱耐酸防水  下水用防食ＪＳ規格品
【図１】
0003118988.tif 000003
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
コンクリート構造物の表面に可撓性樹脂とガラスチョップ繊維を混合し、上塗りにガラスフレークを混合した物を積層、下層はガラスチョップを用いた耐震性塗膜と上層はガラスフレークを混合した薬液浸透防止を行った複層構造耐震防食防水構造物。
【手続補正２】
【補正対象書類名】明細書
【補正対象項目名】０００５
【補正方法】変更
【補正の内容】
【０００５】コンクリート構造物は鉄筋結束後、型枠組立後にコンクリート打設を行うが、打設に際し流動性を良くする為多量の水を使用するので硬化後にコンクリート構造物にクラックが多く発生する為、打設後表面に防食防水塗装を行うが、防食塗膜のみではクラック追従性に弱い為ガラス繊維等によるクラック防止を行っているが、その際、ガラス繊維又はマットを使用しているが材料及び施工工程が長く、費用高となる為、下塗りクラック補強にガラスチョップ短繊維３ｍｍ〜５ｍｍをバインダー樹脂に混合塗布を行う事で、工程及び材料費用が半額程度で行える施工方法である。
【手続補正３】
【補正対象書類名】明細書
【補正対象項目名】０００６
【補正方法】変更
【補正の内容】
【０００６】従来コンクリート構造物の屋上にアスファルトが防水用に使われているが、夏場では太陽熱で膨れが発生する為、表面耐熱防止にコンクリートモルタル保護を行っているが、クラック発生等による補修に費用を要する。
近年は防食樹脂ライニング工法が多く採用されているが、屋上防水防食ライニングにガラスマットライニングでは、施工作業中、ガラス繊維チョップの飛散による歩行者公害の原因となっている。防食ライニング施工に際し防食用樹脂にガラスチョップ繊維をアスペクト比以内に短繊維を少量、防食防水樹脂に混合を行う為繊維飛散が無く、ロール刷毛塗布を行う事でコンクリートクラック追従性防食防水が行え、工程短縮及び材料費が安価に行える。
【手続補正４】
【補正対象書類名】明細書
【補正対象項目名】０００９
【補正方法】変更
【補正の内容】
【０００９】１．プライマー浸透（コンクリート面）
２．コンクリート表面
３．ガラス短繊維（ガラスチョップ）を混合した弾性ベースコート
４．用途別ガラスフレークトップコート仕上
上水飲料水用防食防水  上水用ＪＷＷＡ規格品
下水排水処理槽耐熱耐酸防水  下水用防食ＪＳ規格品
【手続補正５】
【補正対象書類名】図面
【補正対象項目名】全図
【補正方法】変更
【補正の内容】
【図１】
0003118988.tif 000004